(57)【要約】      （修正有）【課題】取り付け技術者の作業負荷を大幅に軽減させるレールアセンブリ及びカーテン装置を提供する。【解決手段】カーテン装置は、モーターアセンブリ７と、伝動アセンブリ８と、カーテン１０と、レールアセンブリと、を備える。レールアセンブリは、上レール１と、下レール２を備え、下レールが上レールの下端に脱着可能に組み付けられる。上レール内には、長手方向に沿って延び、モーターアセンブリの少なくとも一部を収容するための第１取り付け通路が形成される。下レール内には長手方向に沿って延び、伝動アセンブリを収容するための第２取り付け通路が形成される。これにより、開口溝を介して伝動アセンブリの取り付け・取り外し進捗を簡単に観察及び操作し、カーテンの取り付け・取り外し過程がより便利で、確実に組み付けることが容易になるため、取り付けの作業負荷を大幅に軽減できる。【選択図】図５
0003234666.tif 000002
【実用新案登録請求の範囲】
【請求項１】
カーテン装置に応用され、前記カーテン装置のモーターアセンブリ（７）及び伝動アセンブリ（８）を取り付けるためのレールアセンブリであって、前記レールアセンブリは、上レール（１）と、下レール（２）と、備え、前記下レール（２）が前記上レール（１）の下端に脱着可能に組み付けられ、前記上レール（１）内には長手方向に沿って延び、前記モーターアセンブリ（７）の少なくとも一部を収容するための第１取り付け通路（３）が形成され、前記下レール（２）内には長手方向に沿って延び、前記伝動アセンブリ（８）を収容するための第２取り付け通路（４）が形成されることを特徴とする、レールアセンブリ。
【請求項２】
前記下レール（２）の前記上レール（１）に連結される端面には前記第２取り付け通路（４）の少なくとも一部を露出させるための開口構造を有し、前記下レール（２）の横断面は、全体として逆「冂」字形を呈し、前記上レール（１）の横断面が全体として「口」字形を呈することを特徴とする、請求項１に記載のレールアセンブリ。
【請求項３】
前記上レール（１）と前記下レール（２）との間は、レール溝構造を介して脱着可能に接続され、前記上レール（１）の下端面の対向両側には長手方向に沿って延び、並設された長溝（５）が形成され、前記下レール（２）の上端の対向両側には長手方向に沿って延び、前記長溝（５）形状に合わせる長尺状レール（６）が形成され、前記長溝（５）と前記長尺状レール（６）によって前記レール溝構造を構成することを特徴とする、請求項１に記載のレールアセンブリ。
【請求項４】
前記長溝（５）の開口方向は、均しく外向きであり、前記長尺状レール（６）の横断面が全体として内向き方向に曲がった「７」字形を呈することを特徴とする、請求項３に記載のレールアセンブリ。
【請求項５】
前記長溝（５）と前記上レール（１）は、一体的に成形され、前記長尺状レール（６）と前記下レール（２）が一体的に成形されることを特徴とする、請求項３に記載のレールアセンブリ。
【請求項６】
モーターアセンブリ（７）と、伝動アセンブリ（８）、カーテン（１０）と、請求項１〜５のいずれか一項に記載のレールアセンブリと、を備え、前記モーターアセンブリ（７）の少なくとも一部は第１取り付け通路（３）内に収容され、前記伝動アセンブリ（８）が第２取り付け通路（４）内に取り付けられ、前記カーテン（１０）が前記下レール（２）の下端に吊り下げられることを特徴とする、カーテン装置。
【考案の詳細な説明】
【技術分野】
【０００１】
本考案は、カーテン装置の技術分野に関し、特に、レールアセンブリ及びカーテン装置に関する。
【背景技術】
【０００２】
カーテンは、主に日よけや美しい装飾などの様々な室内装飾に幅広く活用され、ロールスクリーン、ハニカムスクリーン、手引きカーテン等の様々なカーテンに適すると共に開閉状態の切り替えを満たすため、一般的にカーテンレールを介して取り付けられる。特に、ロールスクリーン及びハニカムスクリーンの場合、通常、カーテン装置のレールアセンブリ内にモーターアセンブリと伝動アセンブリの構造を取り付けることで、電動開閉の目的を実現する。従来技術において、レールアセンブリは、一般的に収容空洞部を有する型材であり、モーターアセンブリ及び伝動アセンブリを前記収容空洞部内に挿設すると取り付けが完了するが、電気部品及び機械部の回転動作があるため、伝動アセンブリが確実に取り付けられることを確保しなければならず、この時は取り付け技術者の取付能力に依存し、確実に取り付けなかった場合、今後の使用中にカーテンレールの振戦等の問題が発生し、解体操作中にも同様にこの問題が存在するため、取り付け技術者の取り付け・取り外しを不便にさせてきた。
【考案の概要】
【考案が解決しようとする課題】
【０００３】
従来技術に存在している上記問題点に着目し、本考案は、上記技術的欠陥を克服するため、取り付け技術者が調整や組付け及び取り外しや保守に便利なレールアセンブリ及びカーテン装置を提供することを目的とする。
【課題を解決するための手段】
【０００４】
本考案は、上記目的を達成するために以下のような技術的手段を講じた。
カーテン装置に応用され、カーテン装置のモーターアセンブリ及び伝動アセンブリを取り付けるためのレールアセンブリであって、レールアセンブリは、上レールと、下レールと、備え、下レールが上レールの下端に脱着可能に組み付けられ、上レール内には長手方向に沿って延び、モーターアセンブリの少なくとも一部を収容するための第１取り付け通路が形成され、下レール内には長手方向に沿って延び、伝動アセンブリを収容するための第２取り付け通路が形成される。
【０００５】
好ましくは、下レールの上レールに連結される端面には第２取り付け通路の少なくとも一部を露出させるための開口構造を有する。
【０００６】
好ましくは、下レールの横断面は、全体的に逆「冂」字形を呈する。
【０００７】
好ましくは、上レールの横断面は、全体的に「口」字形を呈する。
【０００８】
好ましくは、上レールと下レールとの間は、レール溝構造を介して脱着可能に接続される。
【０００９】
好ましくは、上レールの下端面の対向両側には長手方向に沿って延び、並設された長溝が形成され、下レールの上端の対向両側には長手方向に沿って延び、長溝形状に合わせる長尺状レールが形成され、長溝と長尺状レールによってレール溝構造を構成する。
【００１０】
好ましくは、長溝の開口方向は、均しく外向きであり、長尺状レールの横断面が全体として内向き方向に曲がった「７」字形を呈する。
【００１１】
好ましくは、長溝と上レールは、一体的に成形され、長尺状レールと下レールが一体的に成形される。
【００１２】
本考案は、モーターアセンブリと、伝動アセンブリ、カーテンと、前記レールアセンブリと、を備えたカーテン装置も提供し、モーターアセンブリの少なくとも一部は第１取り付け通路内に収容され、伝動アセンブリが第２取り付け通路内に取り付けられ、カーテンが下レールの下端に吊り下げられる。
【考案の効果】
【００１３】
上記技術的手段の有利な効果としては、
カーテンレールは、レール本体と、蓋板と、を備え、レール本体の一側に開口溝を有し、蓋板が開口溝を脱着可能に遮蔽し、取り付け技術者は開口溝を介して伝動アセンブリの取り付け・取り外し進捗を簡単に観察及び操作し、カーテンの取り付け・取り外し過程はより便利で、確実に組み付けることが容易になることで、取り付け技術者の作業負荷を大幅に軽減させる。
【図面の簡単な説明】
【００１４】
【図１】本考案のレールアセンブリの立体図である。
【図２】本考案のレールアセンブリの側面図である。
【図３】本考案のレールアセンブリの立体分解図である。
【図４】本考案のカーテン装置の立体図である。
【図５】本考案のカーテン装置の立体分解図である。
【考案を実施するための形態】
【００１５】
本考案の実現する技術的手段、創造的特徴、達成目的及び効果を理解しやすくするため、以下に実施例及び図面を参照しつつ本考案を具体的に説明する。また図２の紙面に示す上下方向は、本実施例における上下方向であり、紙面に垂直な内方から外方への方向が本実施例におけるレールアセンブリの長手方向であると定義する。
【００１６】
（実施例１）
図１乃至図３を参照すると、本実施例によって提供されレールアセンブリは、カーテン装置に応用され、カーテン装置のモーターアセンブリ７及び伝動アセンブリ８を取り付けるために用いられ、ここでレールアセンブリは上レール１と、下レール２と、備え、下レール２が上レール１の下端に脱着可能に組み付けられ、上レール１内には長手方向に沿って延び、モーターアセンブリ７の少なくとも一部を収容するための第１取り付け通路３が形成され、下レール２内には長手方向に沿って延び、伝動アセンブリ８を収容するための第２取り付け通路４が形成される。
【００１７】
上記技術的手段によれば、レールアセンブリは、脱着可能に接続される上レール１と下レール２とを備え、具体的な応用において、先に伝動アセンブリ８を下レール２に設置してから全体としてモーターアセンブリ７を取り付けた上レール１に接続することができ、さらに伝動アセンブリ８とモーターアセンブリ７との間の接続関係を調整すると組付け作業を完了できる。具体的に、カーテン装置として組み立てる過程で、伝動アセンブリ８内の操作コードは、下レール２の貫通穴を下向きに通し、カーテン１０と接続する必要があり、この操作において、伝動アセンブリ８の長手方向における位置を調整しなければならず、本実施例内では伝動アセンブリ８と下レール２を別々に組み立てることができるため、この操作での調整の難しさを大幅に易化する。従ってレールアセンブリの取り付け・取り外し過程がより便利になり、取り付け技術者が取り付け・取り外し過程で伝動アセンブリ８を位置決め・調整することが簡単になることで、取り付け技術者の作業負荷を大幅に軽減させる。
【００１８】
好ましい実施形態において、具体的に図２及び図３内に示すように、下レール２の上レール１に連結される端面には第２取り付け通路４の少なくとも一部を露出させるための開口構造を有し、取り付け技術者に開口構造を介して伝動アセンブリ８を位置決め及び調整できるようにさせる。さらに、本実施例において、下レール２の下レールの横断面は、全体として逆「冂」字形を呈し、すなわち、開口構造が下レール２の長手方向に沿った両端を貫通するが、下レール２の上部に長手方向に沿って延び横板を有し得、横板に開口構造を設けることで、同様に上記技術的目的を達成できるものとするが、これに限定されるものではない。
【００１９】
より好ましい実施形態として、上レール１の横断面は、全体として「口」字形を呈する。さらに、上レール１と下レール２との間は、レール溝構造を介して脱着可能に接続される。さらに、本実施例において、上レール１の下端面の対向両側には長手方向に沿って延び、並設された長溝５が形成され、下レール２の上端の対向両側には長手方向に沿って延び、長溝６形状に合わせる長尺状レール６が形成され、長溝５と長尺状レール６によって上記レール溝構造を構成する。注目すべき点は、下レール２の上端に長溝５を形成でき、上レール１の下端に長尺状レール６を形成することもでき、これに限定されない。同時に、長溝５は、上レール１の対向両側の側壁に直接形成することもできることで、同様に上記技術的目的を達成できる。
【００２０】
より好ましい実施形態として、長溝５の開口方向は、均しく外向きであり、長尺状レール６の横断面が全体として内向き方向に曲がった「７」字形を呈する。さらに、長溝５と上レール１は、一体的に成形され、長尺状レール６と下レール２が一体的に成形される。ただし後付け方式にすることもでき、なお、上レール１と下レール２との間の脱着可能な接続も留め具、スナップフィット結合又はその他のクイックリリース構造によって実現できるものとするが、これに限定されない。下レール２に伝動アセンブリ８の操作コードを通するための貫通穴が設けられ、前記貫通穴は、丸穴であり得、長穴であってもよい。下レール２の下端にはカーテン１０を吊り下げるための組み付け溝をさらに有し、上レール１の上端には壁体に取り付けるための予備溝を有し、これは本分野の慣用設置であるため、ここでその説明を省略する。
【００２１】
（実施例２）
図４及び図５を参照すると、本実施例によって提供されるカーテン装置は、モーターアセンブリ７と、伝動アセンブリ８と、カーテン１０と、上記実施例１に記載のレールアセンブリと、を備え、モーターアセンブリ７の少なくとも一部が第１取り付け通路３内に収容され、伝動アセンブリ８が第２取り付け通路４に組み付けられ、カーテン１０が下レール２の下端に吊り下げられる。
【００２２】
上記技術的手段によれば、カーテン装置は、モーターアセンブリ７と、伝動アセンブリ８と、カーテン１０と、上記レールアセンブリと、を備え、カーテン装置の全体的な取り付け・取り外し過程がより便利になるため、取り付け技術者の作業負荷担を大幅に軽減させることができる。
【００２３】
具体的には、本実施例において、モーターアセンブリ７は、左エンドキャップと、左エンドキャップ内に取り付けられるリンケージアセンブリ（例えばギアアセンブリ又はプーリーアセンブリ或いはスプロケットアセンブリ）と、モーターと、を備え、モーターが左エンドキャップに垂直に取り付けられ、出力軸がリンケージアセンブリに動力を入力し、リンケージアセンブリの出力側が動力を伝達するため、伝動アセンブリ８に伝動可能に接続する。伝動アセンブリ８は、リンケージアセンブリに伝動可能に連結され、動力を伝達するための回転軸と、回転軸を嵌め込み、操作コードを有するスプールと、回転軸及びリールをレール本体内に固定するためのプラケットベースと、を備え、本実施例におけるカーテン１０は、ハニカムスクリーンを用い、レール本体の下端に吊り下げられると共に操作コードを介して開閉動作を実現し、同時に、モーターが第１取り付け通路３内に収容され、伝動アセンブリ８が第２取り付け通路４内に収容され、レールアセンブリの右側に右エンドキャップ９がさらに挿嵌される。
【００２４】
上記は、本考案の好ましい実施例に過ぎず、本考案にとって例示であって制限的なものではないと考えられるべきである。当業者は、本考案のクレームによって限定される精神及び範囲内で多種多様の変更や修飾、さらに均等物を加えることができる。ただし、かかる変更や修飾などは、本考案の意図した保護範囲内に網羅される。
【図１】
0003234666.tif 000003
【図２】
0003234666.tif 000004
【図３】
0003234666.tif 000005
【図４】
0003234666.tif 000006
【図５】
0003234666.tif 000007